(57)【要約】危機的状況の中でのサイト（１１５）に関する戦略的情報を格納して、取り出すコンピュータに基づくホウ法およびシステム。この方法およびシステムは、コンピュータスクリーンディスプレイおよび選択デバイスを含むグラフィカルユーザインタフェースを提供する。このグラフィカルユーザインタフェースでは特定のサイト（１１５）に関する所望の戦略的情報を取り出すために、複数のオプション（１１１）から複数の異なるデータフォーマット（例えば、テキスト、グラフィック、イメージ、ビデオ等）で選択することができる。
2005504383.tif 000002
【特許請求の範囲】
【請求項１】
コンピュータスクリーンディスプレイおよび選択デバイスを含むグラフィカルユーザインターフェースを有するコンピュータシステムにおいて、現場に属する戦術情報を提供する方法であって、該方法は、
該コンピュータスクリーンディスプレイ上に第１のウィンドウを提供するステップであって、該第１のウィンドウは、ユーザが選択可能な戦術情報のカテゴリのメニューを表示する、ステップと、
該情報のカテゴリのうちの１つのユーザ選択を受け取るステップと、
該選択されたカテゴリに対応する戦術情報を取り出すステップであって、該戦術情報は、コンピュータ可読媒体から取り出される、ステップと、
該コンピュータスクリーンディスプレイ上に第２のウィンドウを提供するステップであって、該第２のウィンドウは、該選択されたカテゴリに対応する該取り出された戦術情報を表示するステップと
を包含する、方法。
【請求項２】
前記コンピュータスクリーンディスプレイ上に、前記現場に配置される建物のフロアのレイアウト図を表示する第３のウィンドウを提供するステップであって、該レイアウト図は、該フロアの複数の部屋の位置およびレイアウトを示す、ステップと、
該レイアウト図に複数のリンクを提供するステップであって、各リンクは、該複数の部屋のうちの１つに対応する、ステップと、
ユーザが該複数のリンクのうちの１つを選択するときを検出するステップと、
該選択されたリンクに対応する該複数の部屋のうちの１つのイメージを、前記第２のウィンドウに表示するステップと
をさらに包含する、請求項１に記載の方法。
【請求項３】
前記イメージは、前記コンピュータ可読媒体に格納される３６０度の球状イメージを含み、前記ユーザは、前記選択デバイスのカーソルを用いて所望のナビゲーション方向を選択することによって、前記選択されたリンクに対応する前記複数の部屋のうちの前記１つの異なる展望を得ることができるように、該イメージにおいてナビゲートし得る、請求項２に記載の方法。
【請求項４】
前記球状イメージは、少なくとも１つの組み込まれたポップアップメッセージをさらに含み、前記カーソルが、前記イメージ内のオブジェクト上に位置付けられたときに、該ポップアップメッセージが、該オブジェクトに属するさらなる情報を提供するように前記第３のウィンドウ上に現れる、請求項３に記載の方法。
【請求項５】
前記第２のウィンドウは、前記選択されたリンクに対応する前記複数の部屋のうちの前記１つに属するさらなる情報を表示するサブウィンドウをさらに含む、請求項２に記載の方法。
【請求項６】
ユーザが選択可能な戦術情報のカテゴリの前記メニューは、マップカテゴリを含み、
前記第２のウィンドウは、該マップカテゴリが該ユーザによって選択されたときに、前記現場の地理的位置を示す少なくとも１つのマップを表示する、請求項１に記載の方法。
【請求項７】
ユーザが選択可能な戦術情報のカテゴリの前記メニューは、空中景観図カテゴリを含み、
前記第２のウィンドウは、該空中景観図カテゴリが該ユーザによって選択されるときに、前記現場の空中景観図を表示する、請求項１に記載の方法。
【請求項８】
ユーザが選択可能な戦術情報のカテゴリの前記メニューは、空中動画カテゴリを含み、
前記第２のウィンドウは、該空中動画カテゴリが該ユーザによって選択されるときに、前記現場の空中動画を表示する、請求項１に記載の方法。
【請求項９】
ユーザが選択可能な戦術情報のカテゴリの前記メニューは、現場マップカテゴリを含み、
前記第２のウィンドウは、該現場マップカテゴリが該ユーザによって選択されるときに、前記現場の現場マップを表示する、請求項１に記載の方法。
【請求項１０】
ユーザが選択可能な戦術情報のカテゴリの前記メニューは、進入ビデオカテゴリを含み、
前記第２のウィンドウは、該進入ビデオカテゴリが該ユーザによって選択されるときに、前記現場の進入ルートを示す進入ビデオを表示する、請求項１に記載の方法。
【請求項１１】
前記コンピュータスクリーンディスプレイ上に第３のウィンドウを提供するステップであって、ユーザが選択可能な戦術情報のカテゴリの前記メニューは、クリティカル情報カテゴリを含み、前記第２のウィンドウは、該メニューから該クリティカル情報カテゴリの選択時に、複数のクリティカル情報のサブカテゴリを表示する、ステップと、
該複数のクリティカル情報のサブカテゴリのうちの１つのユーザ選択を受け取るステップと、
該第３のウィンドウに該選択されたクリティカル情報のサブカテゴリに対応する情報を表示するステップと
をさらに包含する、請求項１に記載の方法。
【請求項１２】
前記クリティカル情報のサブカテゴリは、管理要員の連絡情報およびエマージェンシーユーティリティシャットオフ情報を含む、請求項１１に記載の方法。
【請求項１３】
前記エマージェンシーユーティリティシャットオフ情報カテゴリが、前記第２のウィンドウから選択されるときを検出するステップと、
前記第３のウィンドウに、該エマージェンシーユーティリティシャットオフ情報サブカテゴリが該第２のウィンドウから選択されるときに、ユーティリティシャットオフメカニズムに対応する前記現場および少なくとも１つのリンクに属するユーティリティシャットオフ情報を提供するステップと、
該少なくとも１つのリンクがユーザによって選択されるときを検出するステップと、
該第２のウィンドウにおいて、該少なくとも１つのリンクが該ユーザによって選択されるときに、該ユーティリティシャットオフメカニズムのイメージを表示するステップと
をさらに包含する、請求項１２に記載の方法。
【請求項１４】
現場に属する戦略情報を提供するシステムであって、
前記コンピュータスクリーンディスプレイ上に第１のウィンドウを提供する手段であって、該第１のウィンドウは、ユーザが選択可能な戦術情報のメニューを表示する、手段と、
該情報のカテゴリのうちの１つのユーザ選択を受け取る手段と、
該選択されたカテゴリに対応する戦術情報を取り出す手段であって、該戦術情報は、コンピュータ可読媒体から取り出される、手段と、
該コンピュータスクリーンディスプレイ上に第２のウィンドウを提供する手段であって、該第２のウィンドウは、該選択されたカテゴリに対応する該取り出された戦術情報を表示する手段と
を備える、システム。
【請求項１５】
前記コンピュータスクリーンディスプレイ上に、前記現場に配置される建物のフロアのレイアウト図を表示する第３のウィンドウを提供する手段であって、該レイアウト図は、該フロアの複数の部屋の位置およびレイアウトを示す、手段と、
該レイアウト図に複数のリンクを提供する手段であって、各リンクは、該複数の部屋のうちの１つに対応する、手段と、
ユーザが該複数のリンクのうちの１つを選択するときを検出する手段と、
該選択されたリンクに対応する該複数の部屋のうちの１つのイメージを、前記第２のウィンドウに表示する手段と
をさらに備える、請求項１４に記載のシステム。
【請求項１６】
前記イメージは、前記コンピュータ可読媒体に格納される３６０度の球状イメージを含み、前記ユーザは、前記選択デバイスのカーソルを用いて所望のナビゲーション方向を選択することによって、前記選択されたリンクに対応する前記複数の部屋のうちの前記１つの異なる展望を得ることができるように、該イメージにおいてナビゲートし得る、請求項１５に記載のシステム。
【請求項１７】
前記球状イメージは、少なくとも１つの組み込まれたポップアップメッセージをさらに含み、前記カーソルが、前記イメージ内のオブジェクト上に位置付けられたときに、該ポップアップメッセージが、該オブジェクトに属するさらなる情報を提供するように前記第３のウィンドウ上に現れる、請求項１６に記載のシステム。
【請求項１８】
前記第２のウィンドウは、前記選択されたリンクに対応する前記複数の部屋のうちの前記１つに属するさらなる情報を表示するサブウィンドウをさらに含む、請求項１５に記載のシステム。
【請求項１９】
ユーザが選択可能な戦術情報のカテゴリの前記メニューは、マップカテゴリを含み、
前記第２のウィンドウは、該マップカテゴリが該ユーザによって選択されたときに、前記現場の地理的位置を示す少なくとも１つのマップを表示する、請求項１４に記載のシステム。
【請求項２０】
ユーザが選択可能な戦術情報のカテゴリの前記メニューは、空中景観図カテゴリを含み、
前記第２のウィンドウは、該空中景観図カテゴリが該ユーザによって選択されるときに、前記現場の空中景観図を表示する、請求項１４に記載のシステム。
【請求項２１】
ユーザが選択可能な戦術情報のカテゴリの前記メニューは、空中動画カテゴリを含み、
前記第２のウィンドウは、該空中動画カテゴリが該ユーザによって選択されるときに、前記現場の空中動画を表示する、請求項１４に記載のシステム。
【請求項２２】
ユーザが選択可能な戦術情報のカテゴリの前記メニューは、現場マップカテゴリを含み、
前記第２のウィンドウは、該現場マップカテゴリが該ユーザによって選択されるときに、前記現場の現場マップを表示する、請求項１４に記載のシステム。
【請求項２３】
ユーザが選択可能な戦術情報のカテゴリの前記メニューは、進入ビデオカテゴリを含み、
前記第２のウィンドウは、該進入ビデオカテゴリが該ユーザによって選択されるときに、前記現場の進入ルートを示す進入ビデオを表示する、請求項１４に記載のシステム。
【請求項２４】
前記コンピュータスクリーンディスプレイ上に第３のウィンドウを提供する手段であって、ユーザが選択可能な戦術情報のカテゴリの前記メニューは、クリティカル情報カテゴリを含み、前記第２のウィンドウは、該メニューから該クリティカル情報カテゴリの選択時に、複数のクリティカル情報のサブカテゴリを表示する、手段と、
該複数のクリティカル情報のサブカテゴリのうちの１つのユーザ選択を受け取る手段と、
該第３のウィンドウに該選択されたクリティカル情報のサブカテゴリに対応する情報を表示する手段と
をさらに備える、請求項１４に記載のシステム。
【請求項２５】
前記クリティカル情報のサブカテゴリは、管理要員の連絡情報およびエマージェンシーユーティリティシャットオフ情報を含む、請求項２４に記載のシステム。
【請求項２６】
前記エマージェンシーユーティリティシャットオフ情報カテゴリが、前記第２のウィンドウから選択されるときを検出する手段と、
前記第３のウィンドウに、該エマージェンシーユーティリティシャットオフ情報サブカテゴリが該第２のウィンドウから選択されるときに、ユーティリティシャットオフメカニズムに対応する前記現場および少なくとも１つのリンクに属するユーティリティシャットオフ情報を提供する手段と、
該少なくとも１つのリンクがユーザによって選択されるときを検出する手段と、
該第２のウィンドウにおいて、該少なくとも１つのリンクが該ユーザによって選択されるときに、該ユーティリティシャットオフメカニズムのイメージを表示する手段と
をさらに備える、請求項２４に記載のシステム。
【請求項２７】
コンピュータシステムによって実行される際に、現場に属する戦略情報を提供する方法を実行するコンピュータ実行可能命令を有するコンピュータ可読媒体であって、該方法は、
該コンピュータスクリーンディスプレイ上に第１のウィンドウを提供するステップであって、該第１のウィンドウは、ユーザが選択可能な戦略情報のカテゴリのメニューを表示するステップと、
該情報のカテゴリのうちの１つのユーザ選択を受け取るステップと、
該選択されたカテゴリに対応する戦略情報を取り出すステップであって、該戦略情報は、コンピュータ可読媒体から取り出される、ステップと、
該コンピュータスクリーンディスプレイ上に第２のウィンドウを提供するステップであって、該第２のウィンドウは、該選択されたカテゴリに対応する該取り出された戦略情報を表示するステップと
を包含する、コンピュータ可読媒体。
【請求項２８】
前記方法は、
前記コンピュータスクリーンディスプレイ上に、前記現場に配置される建物のフロアのレイアウト図を表示する第３のウィンドウを提供するステップであって、該レイアウト図は、該フロアの複数の部屋の位置およびレイアウトを示す、ステップと、
該レイアウト図に複数のリンクを提供するステップであって、各リンクは、該複数の部屋のうちの１つに対応する、ステップと、
ユーザが該複数のリンクのうちの１つを選択するときを検出するステップと、
該選択されたリンクに対応する該複数の部屋のうちの１つのイメージを、前記第２のウィンドウに表示するステップと
をさらに包含する、請求項２７に記載のコンピュータ可読媒体。
【請求項２９】
前記イメージは、前記コンピュータ可読媒体に格納される３６０度の球状イメージを含み、前記ユーザは、選択デバイスのカーソルを用いて所望のナビゲーション方向を選択することによって、前記選択されたリンクに対応する前記複数の部屋のうちの前記１つの異なる展望を得ることができるように、該イメージにおいてナビゲートし得る、請求項２８に記載のコンピュータ可読媒体。
【請求項３０】
前記球状イメージは、少なくとも１つの組み込まれたポップアップメッセージをさらに含み、前記カーソルが、前記イメージ内のオブジェクト上に位置付けられたときに、該ポップアップメッセージが、該オブジェクトに属するさらなる情報を提供するように前記第３のウィンドウ上に現れる、請求項２９に記載のコンピュータ可読媒体。
【請求項３１】
前記第２のウィンドウは、前記選択されたリンクに対応する前記複数の部屋のうちの前記１つに属するさらなる情報を表示するサブウィンドウをさらに含む、請求項２８に記載のコンピュータ可読媒体。
【請求項３２】
ユーザが選択可能な戦術情報のカテゴリの前記メニューは、マップカテゴリを含み、
前記第２のウィンドウは、該マップカテゴリが該ユーザによって選択されたときに、前記現場の地理的位置を示す少なくとも１つのマップを表示する、請求項２７に記載のコンピュータ可読媒体。
【請求項３３】
ユーザが選択可能な戦術情報のカテゴリの前記メニューは、空中景観図カテゴリを含み、
前記第２のウィンドウは、該空中景観図カテゴリが該ユーザによって選択されるときに、前記現場の空中景観図を表示する、請求項２７に記載のコンピュータ可読媒体。
【請求項３４】
ユーザが選択可能な戦術情報のカテゴリの前記メニューは、空中動画カテゴリを含み、
前記第２のウィンドウは、該空中動画カテゴリが該ユーザによって選択されるときに、前記現場の空中動画を表示する、請求項２７に記載のコンピュータ可読媒体。
【請求項３５】
ユーザが選択可能な戦術情報のカテゴリの前記メニューは、現場マップカテゴリを含み、
前記第２のウィンドウは、該現場マップカテゴリが該ユーザによって選択されるときに、前記現場の現場マップを表示する、請求項２７に記載のコンピュータ可読媒体。
【請求項３６】
ユーザが選択可能な戦術情報のカテゴリの前記メニューは、進入ビデオカテゴリを含み、
前記第２のウィンドウは、該進入ビデオカテゴリが該ユーザによって選択されるときに、前記現場の進入ルートを示す進入ビデオを表示する、請求項２７に記載のコンピュータ可読媒体。
【請求項３７】
前記方法は、
前記コンピュータスクリーンディスプレイ上に第３のウィンドウを提供するステップであって、ユーザが選択可能な戦術情報のカテゴリの前記メニューは、クリティカル情報カテゴリを含み、前記第２のウィンドウは、該メニューから該クリティカル情報カテゴリの選択時に、複数のクリティカル情報のサブカテゴリを表示する、ステップと、
該複数のクリティカル情報のサブカテゴリのうちの１つのユーザ選択を受け取るステップと、
該第３のウィンドウに該選択されたクリティカル情報のサブカテゴリに対応する情報を表示するステップと
をさらに包含する、請求項２７に記載のコンピュータ可読媒体。
【請求項３８】
前記クリティカル情報のサブカテゴリは、管理要員の連絡情報およびエマージェンシーユーティリティシャットオフ情報を含む、請求項３７に記載のコンピュータ可読媒体。
【請求項３９】
前記方法は、
前記エマージェンシーユーティリティシャットオフ情報カテゴリが、前記第２のウィンドウから選択されるときを検出するステップと、
前記第３のウィンドウに、該エマージェンシーユーティリティシャットオフ情報サブカテゴリが該第２のウィンドウから選択されるときに、ユーティリティシャットオフメカニズムに対応する前記現場および少なくとも１つのリンクに属するユーティリティシャットオフ情報を提供するステップと、
該少なくとも１つのリンクがユーザによって選択されるときを検出するステップと、
該第２のウィンドウにおいて、該少なくとも１つのリンクが該ユーザによって選択されるときに、該ユーティリティシャットオフメカニズムのイメージを表示するステップと
をさらに包含する、請求項３８に記載のコンピュータ可読媒体。
【請求項４０】
内部にデータ構造を格納するコンピュータ可読媒体であって、
現場に属するユーザが選択可能な戦略情報の複数のカテゴリを表す第１のデータのセットと、
該ユーザが選択可能な複数のカテゴリに対応する戦略情報を表す第２のデータのセットと、
該現場に位置する建物のフロアのレイアウト図を現す第３のデータのセットであって、該レイアウト図は、該フロアの複数の部屋の位置およびレイアウトを示す、セットと、
該レイアウト図において複数のリンクを表す第４のデータのセットであって、各リンクが該複数の部屋のうちの１つに対応する、セットと、
該複数のリンクのうちの１つにそれぞれ対応する複数のイメージを表す第５のデータのセットと
を含む、コンピュータ可読媒体。
【請求項４１】
前記複数のイメージは、複数の３６０度の球状イメージを含み、ユーザは、選択デバイスのカーソルを用いて所望のナビゲーション方向を選択することによって、該球状イメージにおいてナビゲートし得る、請求項４０に記載のコンピュータ可読媒体。
【請求項４２】
前記複数の球状イメージの少なくとも１つは、少なくとも１つの組み込まれたポップアップメッセージをさらに含み、前記カーソルが、前記球状イメージ内のオブジェクト上に位置付けられたときに、該ポップアップメッセージが、該オブジェクトに属するさらなる情報を提供する、請求項４１に記載のコンピュータ可読媒体。
【請求項４３】
前記複数の部屋のうちの各１つに属するテキスト情報を表す第６のデータのセットをさらに含む、請求項４０に記載のコンピュータ可読媒体。
【請求項４４】
ユーザが選択可能な前記複数のカテゴリは、マップカテゴリを含み、
前記戦略情報は、前記現場の地理的位置をグラフィカルに示す少なくとも１つのマップを生成するデータを含む、請求項４０に記載のコンピュータ可読媒体。
【請求項４５】
ユーザが選択可能な前記複数のカテゴリは、空中景観図カテゴリを含み、
前記戦略情報は、前記現場の空中景観図を生成するデータを含む、請求項４０に記載のコンピュータ可読媒体。
【請求項４６】
ユーザが選択可能な前記複数のカテゴリは、空中動画カテゴリを含み、
前記戦略情報は、前記現場の空中動画を生成するデータを含む、請求項４０に記載のコンピュータ可読媒体。
【請求項４７】
ユーザが選択可能な前記複数のカテゴリは、現場マップカテゴリを含み、
前記戦略情報は、前記現場の現場マップを生成するデータを含む、請求項４０に記載のコンピュータ可読媒体。
【請求項４８】
ユーザが選択可能な前記複数のカテゴリは、進入ビデオカテゴリを含み、
前記戦略情報は、前記現場の進入ルートのビデオを生成するデータを含む、請求項４０に記載のコンピュータ可読媒体。
【請求項４９】
ユーザが選択可能な前記複数のカテゴリは、クリティカル情報カテゴリを含み、前記データ構造は、
複数のクリティカル情報サブカテゴリを表す第６のデータのセットと、
該複数のクリティカル情報サブカテゴリに対応するクリティカル情報を表す第７のデータのセットと
をさらに含む、請求項４０に記載のコンピュータ可読媒体。
【請求項５０】
前記クリティカル情報サブカテゴリは、管理要員の連絡情報およびエマージェンシーユーティリティシャットオフ情報を含む、請求項４９に記載のコンピュータ可読媒体。
【請求項５１】
前記クリティカル情報は、ユーティリティシャットオフメカニズムの少なくとも１つのイメージを生成するデータを含む、請求項５０に記載のコンピュータ可読媒体。
【発明の詳細な説明】
【技術分野】
【０００１】
本願は３５Ｕ．Ｓ．Ｃ§１１９（ｅ）に基づき、「危機的状況中に戦術的情報を提供する方法およびシステム」という名称で２００１年９月２４日に出願された米国仮特許出願第６０／３２６，５３７号の優先権を主張するものであり、米国仮特許出願第６０／３２６，５３７号はその全体を本明細書において参考のため援用する。
【０００２】
本発明は一般的に危機的状況中の戦術的情報の引き出しに関する。具体的には、本発明は、危機的状況に応えて戦術的情報を格納し引き出すコンピュータベースの方法およびシステムに関する。
【背景技術】
【０００３】
不幸にも、最近、本発明者らは、数人の死者と多くの負傷者を出したコロンバイン高校銃撃事件などのような危機的状況をいやというほど知ることとなった。その事件の間、警察、消防およびＳＷＡＴなどの緊急出動隊員達がその状況に対応した際、これらの訓練された男性および女性の緊急出動隊員は、隊員が直面する潜在的に生命を脅かすリスクを大幅に増大する、多くの不確実さに直面した。それらの不確実さは、市民および隊員達への最小限のリスクで、迅速にかつ安全に状況の解決にあたる有効性に有害な影響を与えた。
【０００４】
例えば、警察の隊員がコロンバイン高校の敷地に近づいたとき、このコロンバイン高校銃撃事件に対して最初に対応している間、隊員達は校舎および駐車場に近づく最も安全なルートを、さらに重要なことには、最も危険なルートを知らなかった。例えば、隊員達は、ある特定の建物に近づいている間、どの区域が最も狙撃者の発砲による襲撃に晒されやすいかを知らなかった。隊員達はさらに、連絡を取るべき学校の主要職員も知らず、かつ連絡先へのアクセスも持ち合わせなかった。さらに、緊急出動隊員達は、様々な建物の敷地に踏み込むための計画を戦略的に立てる手助けとなるはずの建物の構造および構造上の情報も知らなかった。これらの未知のものおよびその他多くのことがこの危機に対応する隊員全てに対するリスクを大幅に増大させた。
【０００５】
ある特定の例として、緊急救急隊員が最終的に建物に入ったとき、火災報知器のスプリンクラーが内部の部屋を水浸しにし、警報のフラッシュライトが点滅し、かつ音声警報器が大音響で鳴り響いていた。これらの強烈な刺激の結果、この環境に長時間晒された救急隊員の何人かがめまいに襲われた。これは隊員達の認識および平衡感覚に悪影響を与えた。言うまでもなく、この状況は彼らの有効性に有害な影響を及ぼし、そうでなければ不必要なリスクを彼らに引き起こした。しかし、緊急出動隊員達はどうやって警報システムを止めればよいかを知らず、戦略的には望ましくないこれらの状況が続き、すでに強烈なストレスに満ちた状況をさらに困難なものとした。
【０００６】
上記の例示的な困難および問題の観点から、危機的状況の間に、非常時に不可欠（クリティカル）な戦術的情報を、緊急出動隊員に効果的に提供し得る方法とシステムの要求がある。これらの状況は本質的に高度のストレスとパニックを関与させるので、そのような方法およびシステムは、極度に「ユーザーフレンドリー」で、特定の状況または計画に応えるために要を得たものであり得る数多くの異なる種類の情報を、隊員が入手し得ることが望ましい。
【発明の開示】
【課題を解決するための手段】
【０００７】
（発明の要旨）
本発明は、危機状況の間にエマージェンシー要員にクリティカル戦略情報を提供するコンピュータベースの方法およびシステムを提供することによって、上述および他の必要性に対処する。
【０００８】
本発明のある実施形態では、システムは、ユーザによってリクエストされたクリティカル戦略情報に属するテキスト、グラフィックイメージ、およびビデオを表示する表示画面を有するコンピュータ（例えば、パーソナルコンピュータ）を備える。別の実施形態では、コンピュータは、ユーザにオーディオ情報を提供するスピーカシステムをさらに備える。このコンピュータは、当業者に公知の従来のコンピュータであってもよいし、少なくとも、プログラムを実行し、格納されるデータおよびユーザ入力を処理する中央演算装置（ＣＰＵ）と、プログラム命令、データ、およびユーザ入力を格納するために適切なメモリ（例えば、ハードドライブ、ＲＯＭ、ＲＡＭ、キャッシュ、バッファ）を備える。ある実施形態では、プログラム命令および格納されるデータのいくらかまたは全ては、ＣＤ−ＲＯＭに格納され得、ここで、コンピュータは、ＣＤ−ＲＯＭを読み出し、命令およびデータをＣＰＵに提供するＣＤ−ＲＯＭドライブを備える。このコンピュータは、ユーザ入力をコンピュータに提供する適切な入力デバイス（例えば、キーボード、マウス等）をさらに備える。このようなコンピュータは、当該分野において周知であり、本明細書中でさらに説明される必要はない。
【０００９】
別の実施形態では、本発明の方法は、少なくとも２つのインタラクティブなウィンドウを表示するステップであって、第１のウィンドウは印（ｉｎｄｉｃｉａ）、アイコン、またはコントロール（例えば、ｈｔｍｌリンク）を含み、これらは、ユーザが第２のウィンドウの情報（例えば、イメージ、ビデオ、テキスト）を取り出すかまたは表示することを可能にする。好ましい実施形態では、第１のウィンドウは、特に建物の構造上の外形またはキャンパスの壁を表示することができる。例えば、「マウス」を用ることによって、ユーザは、第１のウィンドウの所望の位置をクリックし、第２のウィンドウに対応するイメージまたはビデオを取り出し、かつ表示することができる。
【００１０】
さらなる実施形態では、第２のウィンドウは、例えば、ｉＰｉｘ（登録商標）およびＩＢＭ  Ｈｏｔ  Ｍｅｄｉａ（登録商標）デジタルイメージングのような公知のデジタルイメージング技術を利用して生成される、３６０度の球状イメージを含む。しかし、任意の他の公知のデジタルイメージングシステムおよび技術が、本発明に従って利用され得ることが理解される。３６０度球状デジタルイメージング技術を利用することによって、ユーザは、あたかもユーザが物理的に室内に存在しているかのように、コンピュータ画面上の部屋の全ての面を仮想的に視聴することができる。この実施形態では、視聴者は、所望の方向にマウスカーソルをドラッグすることによって、上下左右に「パン」することができる。ユーザが別の部屋の内部を見たいと思えば、ユーザは、第１の画面の適切な位置インクまたはアイコンをクリックすることによって、その部屋へ直ちに「ジャンプ」することができる。
【００１１】
別の実施形態では、ユーザが、第２のスクリーンでナビゲートしながら、部屋の特定のオブジェクト上で選択デバイス（例えば、「マウス」デバイス）のカーソルを移動させるとき、組み込まれたテキストが自動的にポップアップし、そのオブジェクトについてのクリティカル情報を提供する。例えば、マウスカーソルがドアの上でパンするとき、ポップアップメッセージは、例えばそのドアがどこにつながるのか、ドアの材質および厚み、ドアがどの方法で開き、ユーザにドアを通って進むというオプションを提供するのかを示し得る。別の例では、マウスカーソルがメイン電力シャットオフスイッチのような電気スイッチ上を通過する場合、ポップアップメッセージは、この事実をユーザに警告する。ポップアップメッセージは、特定の部屋に関し得る任意の数のオブジェクト、例えば、窓、排気ダクト、天井、フローリング、クローゼット、電気および配管の細部等に同様の様式で組み込まれ得る。
【００１２】
別の実施形態では、第３の窓が、コンピュータスクリーン上に表示される。このスクリーンは、ユーザの望みに応じて、第１または第２のいずれかのウィンドウに表示され得る異なるタイプの情報のメニューを含む。このメニューは、ストリートマップ、空中景観図、現場またはキャンパスマップ、クリティカル情報および電話番号、駐車場進入ビデオ、建物のフロア図等のようなアイテムを含み得る。好ましい実施形態では、クリティカル情報は、学校の管理要員および管理要員の連絡情報、アラーム企業情報、通信システム情報、建物の構成情報、エマージェンシーユーティリティシャットオフシステム等に属する情報を含む。
【００１３】
以上に説明されたように、ある実施形態では、コンピュータは、１つ以上の現場（例えば、Ｇｒａｎｄｖｉｅｗ小学校）のＣＤ−ＲＯＭに格納されるプログラム情報およびプロセスデータを実行し得る。しかし、プログラム命令およびデータは、他の所望の形式で格納され、かつ、取り出され得ることが考えられる。例えば、コンピュータによって実行されるプログラム命令は、コンピュータのハードドライブに格納され得、コンピュータによって取り出され、かつ処理されるデータは、従来のネットワーク通信リンクを介してコンピュータがアクセスし得る中央のデータベースに格納され得る。このようなリンクは、ローカルエリアネットワーク（ＬＡＮ）、広域エリアネットワーク（ＷＡＮ）、グローバルコンピュータネットワーク（インターネット、またはｗｏｒｌｄ  ｗｉｄｅ  ｗｅｂ）に活用されるリンクを含み得、当該分野で公知のワイヤレス通信技術およびプロトコルを含む。
【発明を実施するための最良の形態】
【００１４】
本発明を、以下に図面を参照して詳細に説明するが、すべて、同様の作用効果を奏する要素には同様の番号を付する。以下の説明は、学校のキャンパスのためのクリティカルな戦術的情報という文脈で提供されるが、本発明の原理および技術が種々の別のタイプの場所、建物、キャンパスまたは筋書き（本明細書においては、まとめて「現場」とよぶ）に適用され得ることが通常の当業者には容易に明らかである。
【００１５】
緊急出動隊員は、頻繁に、事故や脅威の場面に対応するが、現場に対する情報は最小限を有するのみである。この「情報」の欠如を克服するために、本発明が、緊急出動隊員によって所望され得る種々の戦術的情報に迅速に簡単にアクセスし閲覧することのできるコンピュータベースの方法およびシステムを提供する。
【００１６】
１つの好ましい実施形態では、コンピュータシステムが、ＣＤ−ＲＯＭからのプログラム指示および／またはデータにアクセスし、所望のクリティカルな情報を（例えばテキスト、グラフィックス、ビデオなどの）様々な形式でコンピュータ画面上に提供するＣＤ−ＲＯＭドライブを含む。緊急出動隊員が緊急派遣要請を受けると、隊員が接近しつつある特定の現場用のＣＤ−ＲＯＭがコンピュータのＣＤ−ＲＯＭドライブにロードされ得る。好ましい実施形態では、コンピュータが（例えば警察のパトロールカーまたはバンなどの）緊急出動隊員を運ぶものに搭載されたコンピュータシステムであり得、そのシステムによって、現場への移動中に、隊員達は特定の現場に関連するクリティカルな情報にアクセスし得る。このコンピュータシステムが、ハードドライブ、ＲＯＭ（読み出し専用メモリ）および／またはコンピュータシステムのＣＰＵで実行されるプログラム指示を格納するためのＲＡＭ（ランダムアクセスメモリ）をさらに含む。このコンピュータシステムがコンピュータモニタにグラフィクユーザインターフェースを提供することで、以下でさらに詳細に説明する所望の情報をユーザが特定し得る。
【００１７】
１つの好ましい実施形態では、所望の情報が（例えばＣＤ−ＲＯＭ、ハードドライブ、ＲＯＭ、フラッシュメモリ、ＲＡＭ、フロッピー（登録商標）ディスク等の）コンピュータで読み出し可能な格納媒体に格納され、ユーザの要求にしたがってＣＰＵによって取り出され、ユーザに表示される。さらなる実施形態では、コンピュータシステムが、当該分野では公知の無線通信のプロトコルおよび技術を介して、ユーザが所望のクリティカル情報を受け取るために、当該分野では公知の、トランシーバおよびアンテナ、ならびに他のプロセッサ、ハードウェアおよびソフトウェアを含む。通常の当業者には明らかなように、本明細書に記載される機能を実行するために要求される実際のハードウェアおよびソフトウェアは所望のパフォーマンス基準にしたがって様々な方法で実行され得る。本明細書に記載される本発明の好ましい実施形態によって、通常の当業者は、過度の実験をすることなく、直ちにそのようなハードウェアアーキテクチャを設計し、そのようなソフトウェアプログラムを製作し／書き得る。
【００１８】
図１は、戦術的情報の取り出しを容易にするためにユーザに表示される、本発明の１つの実施形態による例示的なコンピュータ画面の表示を表す。図１に示すように、表示画面の左部分すなわち第１ウインドウがユーザによって取り出され得る種々の形式の情報のメニュー１１１を含む。中間部分すなわち第２ウインドウが、目標とする目的地（この例では、Ｇｒａｎｄｖｉｅｗ  Ｅｌｅｍｅｎｔａｒｙ）の位置を図示する地理的および街路マップ１１３を含む。右部分つまり第３ウインドウがＧｒａｎｄｖｉｅｗ  Ｅｌｅｍｅｎｔａｒｙのグランドの配置図および現場の詳細を図示する現場マップ１１５を含む。この表示初期画面が緊急出動隊員達の迅速な目的地への到着を助け、到着前にグランドの全体的な概略の配置図を提供する。
【００１９】
ユーザが、特定の建物または建物内の特定の階に関するさらなる詳細を所望のときは、本発明が、この情報を、迅速で簡単な方法で提供し得る。マウスカーソルまたはその他のポインタ、あるいはキーボードを用いて、ユーザは例えば「ｔｏｐ  ｆｌｏｏｒ（最上階）」アイコンをメニュー１１１から選択してその建物構造の最上階の配置図を取得し得る。図２はメニューウインドウから「ｔｏｐ  ｆｌｏｏｒ」アイコンまたはリンクを選択すると直後に現われ得るコンピュータ表示画面を示す。図２に示すように、第３ウインドウは今度は、所望の建物の最上階の配置図１１７を表示する。「ｔｏｐ  ｆｌｏｏｒ（最上階）」の配置図１１７内には埋め込みアイコンすなわちリンクがあり、それらを選択して特定の部屋についてまたはそのリンクに関連する区域についてのさらなる情報を取得し得る。図２では、これらのリンクが、小さい円形のアイコンとして図面上の様々な場所に配置され、それらの場所は建物の最上階の部屋や場所に対応する。１つの実施形態では、リンクは（例えば部屋番号１０１から１０７の）部屋番号であり得、または各部屋に関連する記述子であり得る。ユーザがある特定の部屋についての情報を得たいとき、ユーザは対応するリンクすなわちアイコンを選択またはクリックし得る。
【００２０】
さらに、１つの実施形態では、配置図１１７によって概略が図示される区域または部屋の上にカーソルを移動させると、対応するポップアップテキストメッセージがユーザに表示され、特定の区域または部屋に関する、場所を特定した情報を即座に提供する。グラフィック画像の場所に割り当てられたそのようなポップアップテキストを提供する方法は、当該分野では公知であり、公知の、例えばイギリスのＨｅｒｅｆｏｒｄｓｈｉｒｅにあるＩｍａｇｅ  Ｉｎｔｅｌｌｉｇｅｎｃｅ  Ｌｔｄ．のｉＰＯＰ  Ｐｒｏ  Ｓｅｎｓｏｍａｐ（登録商標）などの市販品のプログラムを使用して実行し得る。
【００２１】
さらに図３に示すように、最上階の配置図１１７の下に、さらにリンク１１９があり、それらを選択して、例えば、ユーティリティ遮断情報（「Ｕｔｉｌｉｔｙ  ｓｈｕｔ−Ｏｆｆｓ」）、管理事務室の詳細（「Ａｄｍｉｎ  Ｄｅｔａｉｌｓ」）などの最上階のその他の特徴について、または、建物の屋外（「Ｅｘｔｅｒｉｏｒ」）についての詳細な情報を入手し得る。リンク１１９はその建物の「中間階」または「最下階」の配置図を見るためのリンクをさらに含む。追加のリンク１１９はただ例示的なものであることが理解される。情報がテキスト、グラフィック画像、ビデオまたはそれらの任意の組み合わせの形式であっても、任意の所望される形式の情報へのリンクが提供され得る。これらの追加のリンク１１９によって緊急出動隊員たちは入手可能な追加の情報を迅速に簡単に特定し、（例えばマウスボタンなどの）ボタンをクリックしてその情報を入手し得る。
【００２２】
図３は、ユーザが最上階配置図１１７の多目的ルームに対応するリンクを選択したときの例示的表示画面を示す。中間のウインドウでは、多目的ルームの３６０度の球状のデジタル画像１２１が表示される。好ましい実施形態では、所望の方向にマウスカーソルをドラッグすることによってユーザがこの部屋の中を移動し得る。このようにして、ユーザは実際にこの部屋にいるかのように、上、下、右または左（またはこれらの方向の任意の組み合わせ）を「見る」ことが可能である。好ましい実施形態では、部屋内を移動するための圏域画像を提供するために、公知の球状デジタル画像およびソフトウェア技術が使用される。ユーザに示される遠近感または方向性のある景色を変化させるための、そのような球状デジタル画像技術および画像内を移動する方法は、当該分野では公知である。さらに、図３に示すように、デジタル画像の右下の角に位置する適切なコントロールアイコンを選択することによって、ユーザが部屋の拡大、縮小および自動的なパン（見渡し）をし得る。（例えばカラー化などの）その他の公知のデジタル画像機能も同様に実行され得る。示すように、球状画像１０９の下に、選択された特定の部屋または区域についての文章によるさらなる情報を表示するためのサブウインドウ１２５があり、これは緊急出動隊員にとって有用であり得る。
【００２３】
好ましい実施形態では、ユーザが球状画像内で特定の対象物／建物の上にマウスカーソルを移動すると、ポップアップメッセージ（図示せず）があらわれ、クリティカルな情報または指示を提供する。例えば、マウスカーソルがドアの上でパンすると、このドアがどこに続くか、ドアの材料および厚さについて、ドアは内側に開くのか外側に開くのか、蝶番はどこに位置しているかなどの、情報を含むポップアップメッセージが現われ得る。このポップアップメッセージはさらに「ドアを通って次の部屋に入るにはダブルクリックせよ」などの指示をさらに提供し得る。
【００２４】
図４は、ユーザが図３に示す多目的ルームの内側からドアをクリックした後の表示画面を示す。中間の表示ウインドウが、今度は、ドアの外に立ち多目的ルームを覗き込んでいるときの景色である、画像１２７を示す。この画像１２７は３６０度の球状画像であり、したがって、図３で説明したように、ユーザはその場所に立ちながら上下左右を見渡すことができ得る。さらに図４に示すように、球状画像１２７の下に、中間のウインドウがサブウインドウをさらに含み、このサブウインドウは画像１２７に描かれる区域に関する追加の情報を含む。示される実施例では、サブウインドウ１２９が現在地および画像１２７に示される特定のドアの詳細に関する追加の情報を含む。
【００２５】
ユーザが今度は別の部屋に関心を寄せたとき、ユーザは球状画像の中で移動を続ける必要はない。球状画像の中で移動を続けることは、とくに危機的状況の間は混乱に陥り得る。代わりに、ユーザは単に第３ウインドウに表示される「最上階」配置図１１７に戻り、所望の部屋をクリックしてその部屋に「ジャンプ」し得る。図５は、ユーザが第３ウインドウの配置図１１７からルーム１０１に対応するリンクアイコンを選択した後の表示画面を示す。中間のウインドウが今度は選択された部屋（例えば最上階のルーム１０１）の球状画面１３１を含む。上に記載したように、ユーザは、実質的にこの部屋の中にいるように、この画像を移動し、部屋の全てを見得る。好ましい実施形態では、ポップアップメッセージ（図示せず）がこの画像でも実行される。したがって、ユーザがマウスカーソルを用いて画像の上でパンすると、例えば、画像内の特定の対象物または区域の上にカーソルが置かれるとき、ポップアップメッセージが、本発明の方法およびシステムの設計者が所望するように現われるように、プログラム可能に実行され得る。そのようなポップアップメッセージおよびそれをグラフィックユーザインターフェース（ＧＵＩ）の環境で実行する方法は当該分野では周知である。図５に示すように、球状画像１３１の真下は球状画像１３１に示される部屋に関してさらに詳細が提供されるサブウインドウ１３３である。
【００２６】
ユーザが画像１３１の右部分に示されるドアを通ってルーム１０１を出ることを所望するとき、ユーザはマウスカーソルを、例えばドアの上に置き、１回または２回クリックしてドアを通って前進したいとの要望を示し得る。図６はそのような過程が起きた後の表示画面を示す。ユーザは今度は図６に示すようにルーム１０１のすぐ外側の階段室の球状画像１３５を提供される。サブウインドウ１３７は画像１３５に示される階段室についてのさらに詳細な情報を提供する。
【００２７】
１つの好ましい実施形態では、本発明が、その事態のために、最上階の部分または任意の階の部分の精密な配置図を取り出す能力をさらに提供する。これは緊急出動隊員にとって特別な利益となり得る。例えば、緊急出動隊員が管理事務室についてさらに詳細な情報を所望するときは、図６に示す配置図１１７の「Ａｄｍｉｎ  Ｏｆｆｉｃｅｓ（管理事務室）」アイコンすなわちリンクを選択するか、または「Ａｄｍｉｎ  Ｄｅｔａｉｌ（管理事務室詳細）」アイコン１１９を選択することによって情報を入手し得る。
【００２８】
図７は、ユーザが配置図１１７（図６）の「Ａｄｍｉｎ  Ｏｆｆｉｃｅｓ」リンクを選択した後にユーザに提供される、表示画面の右のウインドウに示される、最上階に位置する管理事務室の精密な配置図１３９を示す。好ましい実施形態では、この精密な配置図１３９の下の位置に、最上階のその区域に関するさらに詳細な情報がユーザに提供される。例えば、各部屋は（例えば、Ｍは男性用トイレ、Ｗは女性用トイレ、Ｎは養護室、Ｐは校長室などの）ラベル付けがなされ、識別される。特定の場所のためのリンクアイコンを選択／クリックすることによって、その場所に対応する球状画像が中間のウインドウに表示され得る。
【００２９】
図８は、管理事務室のすぐ外にある階段室および受付区域に対応するリンクアイコンを選択した後にユーザに表示される球状画像１４１を示す。球状画像１４１は上に記載した全ての属性および機能性を含む。再度、画像ウインドウ１４１の下のサブウインドウ１４３が、選択された区域についての追加の詳細な情報を提供し、それは緊急出動隊員にとって有用である。
【００３０】
本発明によって緊急出動隊員が簡単に迅速に様々な他の種類の情報にアクセスすることが可能である。例えば、コンピュータ画面表示の左のウインドウに提供されるメニュー１１１の「Ａｅｒｉａｌ  Ｖｉｅｗ（空中景観図）」のリンクの上でクリックすることで、図９に示すように、空中景観画像１４５が中間のウインドウに表示される。この景観図は、例えばヘリコプターや飛行機などの航空機でこの現場に到着する緊急出動隊員には有用であり得る。さらに、１つの実施形態では、画面の左のウインドウに位置するメニュー１１１によって提供される「Ａｅｒｉａｌ  Ａｎｉｍａｔｉｏｎ（空中動画）」のアイコンをクリックすることで、動画の空中ビデオがユーザに表示される。
【００３１】
図１０は、中間のウインドウが、Ｇｒａｎｄｖｉｅｗ  Ｅｌｅｍｅｎｔａｒｙのキャンパスの上空および周辺を飛行しながら録画される動画のビデオ画像１４７を、録画に応じて、表示することを示す。好ましい実施形態では、ビデオ１４７は、市販の規格品のソフトウェアを用いて製作される拡大縮小の機能をサポートする高解像度の静止画像のシーケンスである。好ましい実施形態では、ビデオ画像１４７の上でマウスカーソルをクリックし所望の方向にドラッグすることで、ユーザは即座に様々な空中図を見得る。通常の当業者には明らかなように、動画のビデオのプレゼンテーションの（例えばフレーム速度および解像度などの）質は、コンピュータシステムの処理能力および速度、ならびにメモリ容量に大きく依存する。したがって、速度の速いプロセッサおよび大容量のメモリを含むコンピュータシステムを有することが所望される。好ましい実施形態では、コンピュータシステムが、少なくともＩｎｔｅｌ  Ｃｅｌｅｒｏｎ（商標登録）の５００ＭＨｚのＣＰＵ、２６５Ｋバイトのキャッシュ、２５６ＫバイトのＲＡＭおよび５Ｇバイトのハードドライブを含む。好ましい実施形態では、システムが、Ｉｎｔｅｌ  Ｐｅｎｔｉｕｍ（登録商標）ＩＩＩ（登録商標）の５００ＭＨｚのＣＰＵ、２６５Ｋバイトのキャッシュ、２５６ＫバイトのＲＡＭおよび２０Ｇバイトのハードドライブを含む。
【００３２】
別の実施形態では、メニュー１１１が「ｓｉｔｅ  ｍａｐ（現場マップ）」リンクをさらに含み、ユーザが第２または第３ウインドウのどちらででも所望の現場の現場マップを取り出し見ることが可能である。例示的ｓな現場マップを図１の右のウインドウに示す。そのような現場マップは、現場の、建物、駐車場、グランドおよびその他の区域の相対的な位置および配置を含む。したがって、緊急出動隊員はボタンのクリックひとつで、現場の配置および地形の概観を入手し得る。１つの好ましい実施形態では、現場マップは、本発明の方法およびシステムによってユーザに提供されるコンピュータの初期画面表示のデフォルトのウインドウとして提供される。
【００３３】
別の種類のクリティカルな戦術的情報は、ある特定の現場に入るために取られる異なる経路／道路に関する情報を含み得る。メニュー１１１から「Ｐａｒｋｉｎｇ  Ｌｏｔ  Ｉｎｇｒｅｓｓ  Ｖｉｄｅｏ（駐車場進入ビデオ）」のリンクをクリックすることによって、ユーザは現場にアクセスするための異なる経路の風景および全体的な地形を示す様々なビデオを入手し得る。図１１は、例えばコンピュータ画面表示の右側のウインドウセクションに表示され得る例示的ビデオ画像１４９を示す。図１１に示すように、このウインドウはキャンパスに入る４つの可能な経路を示しラベル付けを行う。したがってユーザは適切なリンクラベルをクリックすることで、これらの経路のうちの１つを選択し得る。好ましい実施形態において、例えば、ユーザが「Ｍａｉｎ  Ｐａｒｋｉｎｇ  Ｌｏｔ  Ｉｎｇｒｅｓｓ  Ｆｒｏｍ  Ｓｏｕｔｈ（南からのメイン駐車場への進入）」のリンクを選択すると、図１２に示すように、中間のウインドウが、そのルートによってキャンパスに進入する間に撮影されるカメラ映像であるストリーミングＭＰＥＧビデオ１５１を表示する。しかし、実際の動画ビデオの例証は図１２から省略されることに留意されたい。
【００３４】
コンピュータ画面表示の左のウインドウのメニュー１１１から適切なメニュー項目を選択することで、建物のその他の階に関連する情報を入手し得る。図１３および図１４は、それぞれ、中間階の配置図１５３および最下階の配置図１５５を示す。これらは上で最上階のに関し説明したように、所望の部屋または区域の球状画像をみるために移動させて使用し得る。明らかに、建物が多数の階を有するとき、階の数を特定する追加のメニュー項目がウインドウに提供され得る。
【００３５】
図１５は、メニュー１１１から「Ｐｒｉｍａｒｙ  Ｐａｒｋｉｎｇ  Ｌｏｔ  ａｎｄ  Ｅｘｔｅｒｉｏｒ（主要駐車場および屋外）」のアイコンを選択した後の、３つの例示的場面１５７、１５９及び１６１を含む例示的表示ウインドウを示す。図１５に示すように、３つの場面それぞれが、特有の、キャンパスの概略図を示す。これは緊急出動隊員にとって別のやり方において有用である。前のように、それらの場面または画像のそれぞれにリンクアイコンが戦略的に配置され、ユーザによる、それぞれの画像の特定の場所または区域に対応する球状画像の引き出しが可能である。それらのリンクは各場面に小さなドットとして見られ得る。図１５Ａは、ユーザが、例えば、図１５の画像１５７の右下の角に位置するリンクをクリックした後で中間の表示ウインドウに表示される球状画像１６３を示す。
【００３６】
好ましい実施形態では、メニュー１１１の「Ｃｒｉｔｉｃａｌ  Ｉｎｆｏｒｍａｔｉｏｎ  ＆  Ｔｅｌｅｐｈｏｎｅ  ＃’ｓ（クリティカル情報および電話番号）」のアイコンを選択することで、ユーザは、危機的状況に必要であり得る非常に多くの情報にアクセスし得る。図１６は、ユーザが「Ｃｒｉｔｉｃａｌ  Ｉｎｆｏｒｍａｔｉｏｎ  ＆  Ｔｅｌｅｐｈｏｎｅ  ＃’ｓ」のアイコンを選択した後でユーザに提供される、例示的コンピュータ画面表示を示す。この表示は中間のウインドウにクリティカル情報インデックス１６５を提供し、それによってユーザがさらに具体的な種類の情報についてのユーザの基準をさらに詳細にし得る。図１６に示す実施例では、ユーザはさらに「Ｇｅｎｅｒａｌ  Ｉｎｆｏｒｍａｔｉｏｎ（一般的な情報）」をインデックス１６５から選択しており、右の表示ウインドウに提供されるＧｒａｎｄｖｉｅｗ  Ｅｌｅｍｅｎｔａｒｙの一般的な情報を見る。インデックス１６５から他の項目を選択することによって、ユーザは別の所望の情報を入手し得る。
【００３７】
図１７は、インデックス１６５から「Ａｄｍｉｎｉｓｔｒａｔｉｖｅ  Ｐｅｒｓｏｎｎｅｌ（管理職員）」リンクが選択される際に、コンピュータ画面表示の右のウインドウに表示される例示的リスト１６９を示す。図１８および１９は、「Ａｌａｒｍ  ｃｏｍｐａｎｙ  Ｉｎｆｏｒｍａｔｉｏｎ（警報設備会社）」および「Ｃｏｍｍｕｎｉｃａｔｉｏｎｓ  Ｉｎｆｏｒｍａｔｉｏｎ（通信情報）」がインデックス１６５から選択される際に表示されるリスト１７１および１７３をそれぞれ示す。図２０および２１は「Ｂｕｉｌｄｉｎｇ  Ｃｏｎｓｔｒｕｃｔｉｏｎ（建物構造）」および「Ｅｍｅｒｇｅｎｃｙ  Ｕｔｉｌｉｔｙ  Ｓｈｕｔ−Ｏｆｆｓ（非常時ユーティリティ遮断）」の項目がインデックス１６５から選択される際に表示される例示的リスト１７５および１７７をそれぞれ示す。
【００３８】
図２１に示すように、「Ｅｍｅｒｇｅｎｃｙ  Ｕｔｉｌｉｔｙ  Ｓｈｕｔ−Ｏｆｆ（非」情報を表示するウインドウは追加の情報にアクセスするためのリンクをさらに含む。例えば、情報のリスト項目の最初の「Ｔｏｔａｌ  Ｍａｉｎ  Ｅｌｅｃｔｒｉｃａｌ  Ｓｈｕｔｏｆｆ  Ｌｏｃａｔｉｏｎ（総合主要電気遮断位置）」の下には、「カフェテリアキッチンの隣の電気室」へのリンクがあり、それが下線付き文によって示される。このリンクをクリックすることで、図２２に示すように、中間のウインドウに、この電気室の球状画像１７９がユーザに提供される。電気室に所在するメイン回路のブレーカーの画像１８１もユーザに提供され、図２２は、その画像を示す。中間のウインドウの画像を下にスクロールすることで、追加のクリティカル情報が見られ得る。図２３Ａから２３Ｆは、さらに、第２シャットオフ１８３、Ｔ１フレームリレー回路１８５、バッテリーバックアップシステム１８７、警報パネルキャビネット内部１８９、発電室内部１９１、ブースターコントロールパネル１９３、火災ポンプ移動スイッチ１９５およびヒータ１９７の画像を示す。
【００３９】
図２１を再び参照すると、ユーザがガス遮断の位置に関してさらなる情報を所望する際、ユーザは、図２１に示すウインドウの「Ｔｏｔａｌ  Ｍａｉｎ  Ｇａｓ  Ｓｈｕｔｏｆｆ  Ｌｏｃａｔｉｏｎ＝Ｂｅｈｉｎｄ  ｃａｆｅｔｅｒｉａ  ｋｉｔｃｈｅｎ（総合主要ガス遮断位置＝カフェテリアキッチンの後ろ）」の下のリンクを選択し得る。それを行うと、ユーザに図２４Ａに図示されるようなウインドウが提供される。そのウインドウの上の場面１９９はガス遮断バルブが位置するキッチンの外の区域の球状画像である。上で説明したように、ユーザは、実質的にその場所にいるかのように、この場面の中を移動し、周囲の区域の画像を見ることができる。球状画像１９９の下に、画像２０１と図２４Ｂに示すような更なるクリティカル情報を提供する画像２３とがある。
【００４０】
本明細書に添付する付録Ａは上に記載の本発明の好ましい実施形態による現場の戦術的調査を行う例示的プロセスの概略を提供する。
【００４１】
本発明は危機的状況の間に緊急出動隊員にクリティカルな戦術的情報を迅速に簡単に提供する方法およびシステムを提供する。上に記載したように、大量および多種類の情報が多数の戦術的懸念や事柄に対応するために緊急出動隊員に効果的に伝達され得る。そのような、危機的状況の中で緊急出動隊員を援助する包括的でユーザフレンドリーなシステムはこれまで未知であった。通常の当業者は上で説明した好ましい実施形態は例示的なものにすぎず、本発明は上に記載の技術の修正または改変によって実行し得ることを理解する。通常の当業者は、多くの、本明細書に記載する本発明の特定の実施形態に相当するものを、周知するかまたは通常の実験のみで確かめ得る。そのような修正、改変および相当するものは、先に請求項に記載するように、本発明の意図および範囲の中で考慮される。
【００４２】
（付録Ａ）
サイトの戦術調査手順
上記の機能を実施するために必要な情報およびデータを収集する例示的な手順は、本発明の好ましい実施形態に従って以下に記載される。以下の記載は、学校に関する情報を収集するというコンテキストで提供される。しかし、他のタイプのサイトに対しては、提示用の情報を集めて、格納して、そして、フォーマットするための様々な方法および技術が利用され得、当業者に容易に明らかとなることが理解される。
【００４３】
最初のステップとして、「サイト管理者」として本明細書中では呼ばれる学校の適切な人員（例えば、校長先生、教頭先生等）にプレ調査パケットを送ることが望ましい。このプレ調査パケットは、調査チームが到着したときのために学校の人員を良く知って、準備するために設計される情報収集ツールである。このプレ調査パケットは、概して、サイトの調査プロセス、ならびに、必要な情報、データ、写真、イメージ、動画等を収集するプロセスを説明している。このパケットを受け取ると、サイト管理者は、「オリエンテーション」情報を見て、いくつかの予備的質問に答えて、要求された情報を得る。その後、サイト管理者は、完成させたプレ調査パケットを調査チームまたは調査会社（例えば、米国カリフォルニア州Ｃｒｅｓｔｌｉｎｅに位置したＴａｃｔｉｃａｌ  Ｓｕｒｖｅｙ  Ｇｒｏｕｐ，Ｉｎｃ．）に送る。その後、このパケットは、戦略的なサイト調査を行うために調査会社によって用いられる。
【００４４】
現地調査および写真撮影の日、調査チームは、サイト管理者と会う。チームのメンバーは、外部および内部のサイトをレビューする。その後、調査チームは、開始点および調査プランについて意見を一致させ、設備の完全な調査を保証する。
【００４５】
完全なプレ調査のハードコピー報告書が、各チームメンバーに提供されている。その後、、カメラ機器がアセンブリされる。半球状のビューである２つの写真が取られる。各々の写真は、１８５°ビューの水平フィールド、および１８５°の垂直フィールドを含む。その後、球の位置は、設備によって提供されるマップにマークされる。別の実施形態では、球状イメージを生成するために、円周の様態で、従来フォーマットまたは広角フォーマットを利用して、複数の行の写真を取ることによって生成され得る。例えば、第１の写真の行は、各イメージの中心が水平平面上３０°である場所で撮られ得る。次いで、第２の写真の行は、イメージの中心が水平平面下３０°である場所で撮られ得る。撮られた写真の角度は、用いられたレンズ（単数または複数）のタイプおよびイメージのフォーマットに基づく。次いで、これらの複数の行は、公知の技術を用いて共につながれて、調査されているエリアまたはルームの球状イメージを提供する。この情報は、その後、データ収集ワークシート（ＤＣＷ）に文書化される。
【００４６】
イメージ球内の任意のエリアまたはオブジェクトの同定は、静止画に注釈をつけることによって良好に支援される。適切な静止画が処理用のデジタルカメラで撮影されて、ＤＣＷで記される。球状写真内の全エリアの視覚的および物理的な検査は、設備によって提供されるマップによって相関される。このマップへの変更または相関は、必要である場合なされる。全ての適切な戦略情報は、ＤＣＷで文書化される。現在の球から次の球へのリンクは、球状ロケータ番号を用いて文書化される。
【００４７】
内部および外部の評価が完成すると、チームは、ポスト調査手順に詳説されるように、コンパクトディスク、および、全ての文書化された情報の物理的（写真の）レンダリングを編集する。
【００４８】
イメージおよびマップの作成、フォーマット、レイヤリングおよびリンキングの例示的な行動は、本発明の好ましい実施形態に従って、次に説明する。好ましい実施形態では、ＡｄｏｂｅＴＭ、Ａｄｏｂｅ  Ｉｍａｇｅ  ＲｅａｄｙＴＭ、およびＡｄｏｂｅ  ＩｌｌｕｓｔｒａｔｏｒＴＭが、以下に記載された全行動およびいくつかの行動を行うために利用される。
【００４９】
（ポスト調査手順）
以下の記載は、本発明の実施形態に従って、ディスプレイ用のイメージおよび情報を作成して、フォーマットするように例示的に行動する。
【００５０】
・元のイメージをコンピュータにダウンロードする
・元のイメージを保護用ＣＤに書き込む
・フィールド戦略調査チームから音声記録を転写する
・公知の球状イメージ技術を用いてイメージ半球を編集して、繋げる
・球状イメージファイルをＨＴＭＬにページに組み込む
・関連する静止写真をＨＴＭＬページに組み込む
・戦略調査から転写された収集データを用いて、関連のある「重要なデータ」を「戦略情報」に組み込む
・「リンク−ｔｏ」および「リンク−ｆｒｏｍ」位置を特定する
・ツールチップの「重要な情報」フライアウトを組み込む
・「Ａｄｏｂｅ  Ｐｈｏｔｏｓｈｏｐ」を用いて対象エリアのデジタルマップを作成する。「マップ作成の手順」を参照
・マップ（紙／デジタル）上の写真位置を特定する
・デジタルマップ「Ａｄｏｂｅ  Ｐｈｏｔｏｓｈｏｐ」上の写真の位置の地理的な代表位置を設置する
・１つの位置に対してデジタルマップ（３＋レイヤ）の「マウスオーバー」レイヤリンクを作成する
・「Ａｄｏｂｅ  Ｉｍａｇｅ  Ｒｅａｄｙ」によってイメージスライスを作成する。「スライシングの手順」を参照
・「Ａｄｏｂｅ  Ｉｍａｇｅ  Ｒｅａｄｙ」によってイメージスライスレイヤパラメータを作成する
・イメージスライスＵＲＬリンクを作成する
・イメージスライスターゲットフレームデスティネーションを作成する
・全ＨＴＭＬアプリケーションをレイアウトおよび作成する
・アプリケーションの精度テストを行う
・任意の修正または訂正を識別するために、クライアントでアプリケーションをレビューする
・商品をクライアントに返して、受領サインを得る
（マップ作成の手順）
以下の記載は、本発明の好ましい実施形態に従うディスプレイ用のイメージおよびマップを作成して、フォーマットするための例示的な行動を示す。
【００５１】
・イメージをＰｈｏｔｏｓｈｏｐにスキャンする（ファイル＞インポート＞スキャナ）
・必要であるなら（黒い背景を有するべき場合）、色を反転させる（イメージ＞調節＞反転）
・「オーバーレイ」と名付けられた新しいレイヤを作成する
・クロップツールを用いて、不必要な背景をカットする
・イメージをリサイズする（Ｗ＝３２０、比率ｘに制限）
・矩形ツール（ソリッド）を選択して、新しいワークパスオプションの作成を選択する（適切なライン厚さおよび色によって、ルーム、ホール、階段等の周りのアウトラインをトレースする）
・ペンツールを選択して、新しいワークパスオプションの作成を選択する（適切なライン厚さおよび色によって、ルーム、ホール、階段等の周りのアウトラインをトレースする）
・上記のツールを用いてパスを描いた後、パスを右クリックして、オプションストロークパスを選択して、ペイントブラシツールを用いる（ペイントブラシオプションには、選択した適切なライン厚さおよび色を有する）＊＊４５度の倍数まで制約ラインをホールドダウンシフトする（ペンツール）
・一度マップがトレースされると、（元のマップを含む）背景レイヤを隠してもよいし、消去ツールを用いて背景レイヤを隠してもよい
・テキストツールならびに、適切なフォントおよびサイズを選択する。ルームに名前をつけることを開始できる。各名前は別々のテキストレイヤであることを確認
・名前は、ルームの外から描かれ得、ラインツールは、矢印にそれらを集めさせるように用いられ得る
・上記のステップを用いて全ルームに名前をつける
・（次のステップは、イメージショット位置を識別するドットを挿入することである）
・「ＤＯＴＳ」と呼ばれる新規のレイヤを作成する
・ペンシルまたはペイントブラシツール、および、ラウンドブラシを選択して、適切なサイズのドットを描き、（調査マップを参照して）写真撮影位置を識別する
（レイヤリングの手順）
以下の記載は、本発明の実施形態に従う、イメージレイヤを作成して、フォーマットする例示的な行動を示す。
【００５２】
・Ｐｈｏｔｏｓｈｏｐを開いて、位置マップを選択する
・（まで開かれていない場合）レイヤツールボックスを開く
・新しいレイヤを選択する
・レイヤ特性を選択する
・位置を介して（黒、記述、テキスト等の）「名前」を挿入する
・矩形ツール、またはｌａｓｓｏ  Ｍａｒｑｕｅｅツールを選択する
・望む位置に配置して、望むルームまたは位置を取り囲むようにドラッグする
・Ｐａｉｎｔ  Ｂｕｃｋｅｔを選択する
・色を選択する（色の上のマウスは常に黄色である）
・ボックスを埋める
・新しいレイヤを選択する
・レイヤ特性を選択する
・＿ｏｖｅｒ  ｄｅｓｃ（ｄｅｓｃｒｉｐｔｉｏｎ）に「名前」を挿入する
・テキストツールを選択する
・色、フォント、サイズを選択する（現在、ＭＳＳａｎ  Ｓｅｒｉｆ、３ｐｔ．、ｒｅｄ、ｙｅｌｌｏｗ他）
・タイプ説明（例えば、屋内ルーム１００）
・ムーブツールによってテキストをセンタリングする
・名前テキストを含むレイヤを選択する（ルームの名前または＃のみ、例えば、１００）
・ボックスからレイヤを複製する
・レイヤを「ｎａｍｅ＿ｏｖｅｒ  ｔｅｘｔ」にリネームする
・テキストツールを選択して、色を黒（または、指定された色以外）に変化させる
（ドットレイヤリングの手順）
以下の記述は、本発明の実施形態に従う、イメージと情報との間リンクを作成する例示的な行動を説明する。
【００５３】
・Ｐｈｏｔｏｓｈｏｐで、（各ドットに対して）新しいレイヤを作成する、を選択する
・ルームまたはエリアの左端から右端までのイニシャル（例えば、Ｈａｌｌｗａｙ＝Ｈ、Ｈ１、Ｈ２等）、およびｔｈｅ＿ｏｖｅｒ  ｓｕｆｆｉｘ（Ｈ＿ｏｖｅｒ）を用いてレイヤ（単数または複数）に名前を付ける
・撮影位置に対応するレイヤにおいて、ペンシルまたはペイントブラシツールを用いて、存在するドットの上に異なる色のより大きなドットを作成する
あるいは、別の実施形態では、Ｕｎｉｔｅｄ  Ｋｉｎｇｄｏｍ、ＨｅｒｅｆｏｒｄｓｈｉｒｅにあるＩｍａｇｅ  Ｉｎｔｅｌｌｉｇｅｎｃｅ，Ｌｔｄ．からのｉＰＯＰ  Ｐｒｏ  ＳｅｎｓｏｍａｐＴＭと呼ばれるイメージマッピング用のオフ−ザ−シェルフソフトウェアが用いられてもよい。
【００５４】
（スライシングの手順）
以下の記載は、本発明の実施形態に従って、イメージをスライシングする例示的な行動を示す。
【００５５】
・ツールボックス（底部のアイテム）でイメージ準備完了に切り替える
・スライスツールを選択する
・上部からルームまたはエリアを介してドラックする
・ロールオーバータブを選択する
・新規のロールオーバー状態を作成する、を選択する
・ノーマルに戻す
・見えるレイヤ（例えば、ｔｅｘｔ、ｄｅｓｃ、ｂａｃｋ）を解除する
・オーバーステートに戻す
・見えるレイヤ（例えば、ｔｅｘｔ、ｄｅｓｃ、ｂａｃｋ）を選択する
・スライスタブに進む
・ＵＲＬフィールドにおいて、調査データからの球状イメージに対するｈｔｍｌファイル名にタイプする
・ターゲットラインにおいて、ターゲットフレーム（例えば、メイン、メイン１、左、上部等）の名前を入力する
・プレビューして、Ｉｎｔｅｒｎｅｔ  Ｅｘｐｌｏｒｅｒアイコンを選択する、を訂正する
（ドットをスライシングする手順）
以下の記載は、本発明の１つの実施形態に従って、ドットをスライシングする例示的な行動を示す。
【００５６】
・スライスツールを選択する
・ドット上のボックスを左から右にドラッグする
・ロールオーバータブを選択する
・新規のロールオーバー状態を作成する、を選択する
・ノーマルに戻す
・見えるレイヤ（例えば、ロールオーバーレイヤＨ１＿ｏｖｅｒ）を解除する
・オーバー状態に戻る
・撮影位置に対応する大きなドットを含む見える層（例えば、ロールオーバーレイヤＨ１＿ｏｖｅｒ）を選択する
・ＵＲＬフィールドにおいて、調査データから球状イメージに対するｈｔｍｌファイル名にタイプする
・ターゲットラインにおいて、ターゲットフレーム（例えば、ｍａｉｎ、ｍａｉｎ１、左、上部等）の名前を入力する
・プレビューして、Ｉｎｔｅｒｎｅｔ  Ｅｘｐｌｏｒｅｒアイコンを選択する、を訂正する
あるいは、別の実施形態では、Ｕｎｉｔｅｄ  Ｋｉｎｇｄｏｍ、ＨｅｒｅｆｏｒｄｓｈｉｒｅにあるＩｍａｇｅ  Ｉｎｔｅｌｌｉｇｅｎｃｅ，Ｌｔｄ．からのｉＰＯＰ  Ｐｒｏ  ＳｅｎｓｏｍａｐＴＭと呼ばれるイメージマッピング用のオフ−ザ−シェルフソフトウェアが用いられてもよい。
【００５７】
（重要な情報タイプ）
以下の記載は、本発明の好ましい実施形態に従う、調査チームによって収集され得て、救急隊員に提供される重要な情報の例示的なタイプを提供する。
【００５８】
・一般マップ
・当該の学校／サイトの位置を示す一般マップ。この情報は、「Ｔｈｏｍａｓ  Ｂｒｏｔｈｅｒｓ」スタイルマップ、または、地方火災防止局から得られた「Ｆｉｒｅ  Ｍａｐ」の形式で提供される。
【００５９】
・この情報は、
・位置に詳しくないであろう、ローカルエリア外から応答している支援隊員と、
・容疑者が周辺を荒らして、周辺のコミュニティへ脅威をもたらすといった場合、交通整理、および不測の事態に対するプランニングのために、学校／サイトを取り囲むローカルエリアの正確なマップを提供する
・空中写真（Ａｅｒｉａｌ  Ｖｉｅｗ）
・空中写真は、ローカルエージェンシーによってＴＳＧ，Ｉｎｃ．に与えられたサポートレベルに基づいて、写真を撮る特別サービスに喜んで支払うクライアントに基づくオプションである。
【００６０】
・この情報は、
・応答者が、効果的な様態でサイト全体および周辺領域をビュー可能にする。
【００６１】
・サイトマップ
・サイトマップは、一般的に概要を述べると、所与のサイトでの構造および設備を描くラインドローイングである。アイテムは、学校、ビルディング、プレイグラウンド、駐車場、ポータブルクラスルーム等である。
【００６２】
・この情報は、応答者が戦略的プランの準備／定式化を開始可能にする、サイト用のレイアウトをその応答者に与えるように提供される。
【００６３】
・重要情報および電話番号
・一般情報は、
・主要な法執行当局
・主要な消防署
・階級（例えば、Ｋ−１２）
・生徒数
・障害者／特別な援助を必要とするクラスルーム
・医療供給／位置
・主な電話番号
・物理的なアドレス
・マップグリッド（発行される場合、ローカルに利用可能な情報を用いる）
・交差道路（単数または複数）
・戦略的空中サポート、および／または医療空中サポートに用いられる、横方向および縦方向
・着地ゾーン情報。医療非常事態、および／または戦略的空中サポート用の事前に設計した着地エリア（デモバージョンには含まれない）
を含むが、これらに制限されない。
【００６４】
・管理人
・家庭および職場／家庭の電話番号からの２４時間ＥＴＡによる、キャンパスにいる全ての管理人のタイトルおよび名前。
【００６５】
・この情報が提供される。なぜなら、これらの情報が、応答者が危機の間に位置付けて、話す必要のある第１の人々であるからである。また、バリケードで囲んだ容疑者が人質として何人かの管理スタッフを取った場合、応答者は、情報を得るべき次のインラインンの人々を位置付けることが可能である。
【００６６】
・家庭および家庭／職場の電話番号からの２４時間ＥＴＡによる、キャンパスにいない全ての管理人のタイトルおよび名前。
【００６７】
・この情報は、キャンパスにいる管理者の全てまたは何人かが彼ら自身人質である場合に提供される。応答者に第２のレベルの情報ソースを提供し、危機的状況において一般公衆に公開された情報を管理する人々の調整したリストも提供する。
【００６８】
・警告会社情報
・警告の２４時間直接アクセス電話番号
これらと共に法の執行を可能にする会社（単数または複数）
特定のタイプのモニタリングデバイス（例えば、音声モニタリング）を動作する、または、高速におよび適宜にこれらのシステムを無効にするエージェンシー
・通信情報
・公衆アクセスシステム−位置、アクセス、シャット−オフ情報；これらは、各クラスルームにおいてＰＡシステム能力を含む。
【００６９】
・電話アクセス
・メイン電話スイッチボードの位置
・メイン電話スイッチボードシャット−オフの位置
・メインＰＡ制御パネルの位置
・外部ラインをダイアル可能な全ての電話の位置
・全ての電話ジャックの位置およびタイプ
・インターネットアクセス
・インターネットアクセスのタイプ（ダイアルアップ、ＤＳＬ、Ｔ−１等）
・屋内の全インターネットアクセスポイントの位置
・インターネットアクセス制御ポイント／シャット−オフ
・オーディオ／ビジュアルシステム
・アラーム会社モニタリング（はい／いいえ）
・利用可能なモニタリングのタイプ（音声／画像／動画）
・利用可能なモニタリングタイプの全モニタリングゾーン／エリアの位置
・全テレビの位置
・テレビ接続のタイプ（アンテナ、ケーブル、衛星等）
・テレビ接続シャットオフ（単数または複数）の位置
・携帯テレビカートの位置
・キャンパスのビデオスタジオ（はい／いいえ）
・ビデオスタジオの位置
・ビデオスタジオ能力（タイプ、放送、ＬＡＮ）
・建築物の建築
・外部壁の建築
・屋根の構成
・窓の構成
・窓フレームの構成
・窓の色付け／反射率
・天井の構成（浮遊タイル、音響タイル、乾燥壁等）
・床の構成
・外部ドアの構成および火災の割合
・内部ドアの構成および火災の割合
・スカイライト、スカイライトアクセス
・天井上および／または床下の這うスペース
・内部接続ホールウェイ
・折り畳み式壁付き部屋
・（キャンパス内または外の）建物の位置の青写真
・緊急時のユティリティの切断
・トイレメイン電源の切断
・トイレメインガスの切断
・トイレメイン水道の切断
・トイレメイン電話の切断
・トイレメインインターネットの切断
・トイレメイン公衆アドレスシステムの切断
・トイレメインアラームの切断（火災、侵入者、熱感知器、モーション検出器等）
・トイレメインケーブルテレビの切断
・トイレメイン衛星テレビの切断
・緊急時のジェネレータ／バックアップ電源の位置（単数または複数）
・火災用ポンプの位置／切断
・ポータブル水道切断位置
・主な危険物質（Ｈａｚｍａｔ）の位置
・研究室（物理学、化学、生物学等）
・店の位置（自動、金属、木材等）
・このような危険物質（気体、煙霧質、液体等）のタイプおよび位置
・通常監視されている（ｏｎ  ｌｏｃａｔｉｏｎ）全ての危険物質の連邦政府化学物質安全データシート
・構造マップ
・各構造の各フロアにおけるフィールド検証ラインの図である。この図は、全部屋（（戦略的計画およびスナイパー情報に対する）管理人のクローゼット、這うスペース、ユティリティデッキ、出入り口、外部位置）の完全な空間イメージを表示するために、クリック可能である。
【００７０】
・マップは、情報表示の間常に可視可能のままであり、エンドユーザが外部の構造内部を素早くナビゲート可能にする。
【００７１】
・マップは、部屋番号および主な位置データでラベリングされる。
【００７２】
・明確にすることが必要である場所では、大規模な詳細マップが提供される。この大規模な詳細マップは、上記と同様な様態でナビゲートされ得る。
【００７３】
・全フロア、外部エリア、および緊急時ユティリティシャットオフデータへのリンクは、高速ナビゲーション用の各マップの下に表示され、マップ／情報表示中に常に可視のままである。
【００７４】
・空中アニメーション
・空中アニメーションは、ローカルエージェンシーによるＴＳＧ，Ｉｎｃ．に与えられたサポートレベル、または、写真を捕らえるチャーターサービスに喜んで支払うクライアントに基づくオプションである。
【００７５】
・この情報は、
・応答者が、全く展望の開けた空中のビューポイントから、効率良く、サイト全体および周囲のエリアを見ることを可能にするように提供される。
【００７６】
・出入り口ビデオ
・サイトに対する各アプローチベクトルの「スルー−ザ−ウインドシールド」ビデオビューであり、応答者が当該のエリアに最良のおよび最も安全な可能なアプローチを識別可能にする。例えば、公園へ、出入り口中の構造内部から火災に晒されること、乗り物があるときにセーフカバーの利用可能性等。
【００７７】
・一次および二次緊急時操作センサー（単数または複数）
・学校および／または緊急時応答エージェンシーが提供するエリア識別。このエリア識別は、デモバージョンに含まれない（付帯的コマンドポストと呼ばれる場合もある）危機的状況中の緊急時操作センサーの支援を行う。
【００７８】
・危機操作プロトコル／手順
・危機的イベント中および後に用いられるべき学校および／または緊急時応答エージェンシーが提供するプロトコルおよび／または手順
・無線周波数
・火災防止ステージングエリア
・医療支援ステージングエリア
・トリアージエリア
・犠牲者の輸送およびトリアージプロトコル
・災害ソーシャルサービスステージングエリア
・両親リカバリーエリア
・情報普及エリア／公衆情報オフィサー
・交通制御
【図面の簡単な説明】
【００７９】
【図１】図１は、本発明の１つの実施形態による例示的な、クリティカルな情報を提供する、コンピュータ画面の表示を示す。
【図２】図２は、本発明の１つの実施形態による例示的な、ユーザが図１の表示画面のメニューウインドウから「ｔｏｐ  ｆｌｏｏｒ（最上階）」のアイコンを選択した後の、コンピュータ画面の表示を示す。
【図３】図３は、本発明の１つの実施形態による例示的な、ユーザが図２の「ｔｏｐ  ｆｌｏｏｒ（最上階）」の配置図から「ｍｕｌｔｉ−ｐｕｒｐｏｓｅ（多目的）」ルームに対応するリンクのアイコンを選択した後の、コンピュータ画面の表示を示す。
【図４】図４は、本発明の１つの実施形態による例示的な、ユーザが図３に示される多目的ルームの内部のドアを選択した後の、コンピュータ画面の表示を示す。
【図５】図５は、本発明の１つの実施形態による例示的な、ユーザが図２の「ｔｏｐ  ｆｌｏｏｒ（最上階）」の配置図から「ｒｏｏｍ  １０１（ルーム１０１）」に対応するリンクのアイコンを選択した後の、コンピュータ画面の表示を示す。
【図６】図６は、本発明の１つの実施形態による例示的な、ユーザが図５のルーム１０１を出た後のルーム１０１の外の廊下を表示する、コンピュータ画面の表示を示す。
【図７】図７は、本発明の１つの実施形態による例示的な、ユーザが図６の配置図で「Ａｄｍｉｎ  Ｏｆｆｉｃｅ（管理事務室）」をアイコンを選択した後の、表示画面の第３ウインドウの管理事務室の詳細な配置図を示す。
【図８】図８は、本発明の１つの実施形態による例示的な、ユーザが図７の「Ａｄｍｉｎ  Ｏｆｆｉｃｅ（管理事務室）」の配置図の、ある区域に対応するリンクアイコンを選択した後の、コンピュータ画面の表示を示す。
【図９】図９は、本発明の１つの実施形態による例示的な、ユーザがメニューウインドウから「ａｅｒｉａｌ  ｖｉｅｗ（空中景観図）」のアイコンを選択した後の、コンピュータ画面の表示を示す。
【図１０】図１０は、本発明の１つの実施形態による例示的な、ユーザがメニューウインドウから「ａｅｒｉａｌ  ａｎｉｍａｔｉｏｎ（空中動画）」アイコンを選択した後の、コンピュータ画面の表示を示す。
【図１１】図１１は、本発明の１つの実施形態による例示的な、ユーザがメニューウインドウから「Ｐａｒｋｉｎｇ  Ｌｏｔ  Ｉｎｇｒｅｓｓ  Ｖｉｄｅｏ（駐車場進入ビデオ）」のアイコンを選択した後の、コンピュータ画面の表示を示す。
【図１２】図１２は、本発明の１つの実施形態による例示的な、ユーザが図１１のウインドウ表示から進入ビデオオプションを選択した後の、ビデオの映像の流れを示す。
【図１３】図１３は本発明の１つの実施形態による例示的な、「ｍｉｄｄｌｅ  ｆｌｏｏｒ（中間階）」の配置図を示す。
【図１４】図１４は、本発明の１つの実施形態による例示的な、「ｂｏｔｔｏｍ  ｆｌｏｏｒ（最下階）」の配置図を示す。
【図１５】図１５は、本発明の１つの実施形態による例示的な、ユーザがメニューウインドウから「Ｐｒｉｍａｒｙ  Ｐａｒｋｉｎｇ  Ｌｏｔ  ａｎｄ  Ｅｘｔｅｒｉｏｒ（主要駐車場および屋外）」アイコンを選択した後の、３つの画面を含む表示ウインドウを示す。
【図１５Ａ】図１５Ａは、本発明の１つの実施形態による例示的な、ユーザが図１５の真ん中の画面の右下のコーナーに位置するリンクを選択した後の、「Ａｓｐｈａｌｔ  Ｐｌａｙｇｒｏｕｎｄ（アスファルト運動場）」の球状画像を示す。
【図１６】図１６は、本発明の１つの実施形態による例示的な、ユーザがメニューウインドウから「Ｃｒｉｔｉｃａｌ  Ｉｎｆｏｒｍａｔｉｏｎ  ＆  Ｔｅｌｅｐｈｏｎｅ  ＃’ｓ（クリティカル情報および電話番号）」のアイコンを選択した後の、コンピュータ画面の表示を示す。
【図１７】図１７は、本発明の１つの実施形態による例示的な、図１６に示す「Ａｄｍｉｎｉｓｔｒａｔｉｖｅ  Ｐｅｒｓｏｎｎｅｌ（管理職員）」アイコンをユーザが選択した後の、コンピュータ画面の表示を示す。
【図１８】図１８は、本発明の１つの実施形態による例示的な、図１６に示す「Ａｌａｒｍ  Ｃｏｍｐａｎｙ  Ｉｎｆｏｒｍａｔｉｏｎ（警報設備会社情報）」のアイコンをユーザが選択した後の、コンピュータ画面の表示を示す。
【図１９】図１９は、本発明の１つの実施形態による例示的な、図１６に示す「Ｃｏｍｍｕｎｉｃａｔｉｏｎｓ  Ｉｎｆｏｒｍａｔｉｏｎ（通信情報）」のアイコンをユーザが選択した後の、コンピュータ画面の表示を示す。
【図２０】図２０は、図１６に示す「Ｂｕｉｌｄｉｎｇ  Ｃｏｎｓｔｒｕｃｔｉｏｎ（建物構造）」のアイコンをユーザが選択した後の、コンピュータ画面の表示を示す。
【図２１】図２１は、本発明の１つの実施形態による例示的な、図１６に示す「Ｅｍｅｒｇｅｎｃｙ  Ｕｔｉｌｉｔｙ  Ｓｈｕｔ−Ｏｆｆｓ（非常時ユーティリティ遮断）」のアイコンをユーザが選択した後の、コンピュータ画面の表示である。
【図２２】図２２は、本発明の１つの実施形態による例示的な、図２１に示す「Ｅｌｅｃｔｒｉｃａｌ  Ｒｏｏｍ（電気室）」のアイコンをユーザが選択した後の、コンピュータ画面の表示を示す。
【図２３Ａ】図２３Ａは、本発明の１つの実施形態による例示的な、図２２の最も右の表示ウインドウの「Ｔｏｔａｌ  Ｍａｉｎ  Ｅｌｅｃｔｒｉｃａｌ  Ｓｈｕｔｏｆｆ  Ｌｏｃａｔｉｏｎ（総合主要電気遮断位置）」のアイコンをユーザが選択した後に現われ得る表示ウインドウを示す。
【図２３Ｂ】図２３Ｂは、本発明の１つの実施形態による例示的な、図２２の最も右の表示ウインドウの「Ｔｏｔａｌ  Ｍａｉｎ  Ｅｌｅｃｔｒｉｃａｌ  Ｓｈｕｔｏｆｆ  Ｌｏｃａｔｉｏｎ（総合主要電気遮断位置）」のアイコンをユーザが選択した後に現われ得る表示ウインドウを示す。
【図２３Ｃ】図２３Ｃは、本発明の１つの実施形態による例示的な、図２２の最も右の表示ウインドウの「Ｔｏｔａｌ  Ｍａｉｎ  Ｅｌｅｃｔｒｉｃａｌ  Ｓｈｕｔｏｆｆ  Ｌｏｃａｔｉｏｎ（総合主要電気遮断位置）」のアイコンをユーザが選択した後に現われ得る表示ウインドウを示す。
【図２３Ｄ】図２３Ｄは、本発明の１つの実施形態による例示的な、図２２の最も右の表示ウインドウの「Ｔｏｔａｌ  Ｍａｉｎ  Ｅｌｅｃｔｒｉｃａｌ  Ｓｈｕｔｏｆｆ  Ｌｏｃａｔｉｏｎ（総合主要電気遮断位置）」のアイコンをユーザが選択した後に現われ得る表示ウインドウを示す。
【図２３Ｅ】図２３Ｅは、本発明の１つの実施形態による例示的な、図２２の最も右の表示ウインドウの「Ｔｏｔａｌ  Ｍａｉｎ  Ｅｌｅｃｔｒｉｃａｌ  Ｓｈｕｔｏｆｆ  Ｌｏｃａｔｉｏｎ（総合主要電気遮断位置）」のアイコンをユーザが選択した後に現われ得る表示ウインドウを示す。
【図２３Ｆ】図２３Ｆは、本発明の１つの実施形態による例示的な、図２２の最も右の表示ウインドウの「Ｔｏｔａｌ  Ｍａｉｎ  Ｅｌｅｃｔｒｉｃａｌ  Ｓｈｕｔｏｆｆ  Ｌｏｃａｔｉｏｎ（総合主要電気遮断位置）」のアイコンをユーザが選択した後に現われ得る表示ウインドウを示す。
【図２４Ａ】図２４Ａは、本発明の１つの実施形態による例示的な、図２２の最も右の表示ウインドウの「Ｔｏｔａｌ  Ｍａｉｎ  Ｇａｓ  Ｓｈｕｔｏｆｆ  Ｌｏｃａｔｉｏｎ（総合主要電気遮断位置）」のアイコンをユーザが選択した後に現われ得る表示ウインドウを示す。
【図２４Ｂ】図２４Ｂは、本発明の１つの実施形態による例示的な、図２２の最も右の表示ウインドウの「Ｔｏｔａｌ  Ｍａｉｎ  Ｇａｓ  Ｓｈｕｔｏｆｆ  Ｌｏｃａｔｉｏｎ（総合主要電気遮断位置）」のアイコンをユーザが選択した後に現われ得る表示ウインドウを示す。
【図１】
2005504383.tif 000003
【図２】
2005504383.tif 000004
【図１２】
2005504383.tif 000005
【図１３】
2005504383.tif 000006
【図１４】
2005504383.tif 000007
【図１６】
2005504383.tif 000008
【図１７】
2005504383.tif 000009
【図１８】
2005504383.tif 000010
【図１９】
2005504383.tif 000011
【図２０】
2005504383.tif 000012
【図２１】
2005504383.tif 000013
【図３】
2005504383.tif 000014
【図４】
2005504383.tif 000015
【図５】
2005504383.tif 000016
【図６】
2005504383.tif 000017
【図７】
2005504383.tif 000018
【図８】
2005504383.tif 000019
【図９】
2005504383.tif 000020
【図１０】
2005504383.tif 000021
【図１１】
2005504383.tif 000022
【図１５】
2005504383.tif 000023
【図１５Ａ】
2005504383.tif 000024
【図２２】
2005504383.tif 000025
【図２３Ａ】
2005504383.tif 000026
【図２３Ｂ】
2005504383.tif 000027
【図２３Ｃ】
2005504383.tif 000028
【図２３Ｄ】
2005504383.tif 000029
【図２３Ｅ】
2005504383.tif 000030
【図２３Ｆ】
2005504383.tif 000031
【図２４Ａ】
2005504383.tif 000032
【図２４Ｂ】
2005504383.tif 000033
【国際公開パンフレット】
2005504383.tif 000034
2005504383.tif 000035
2005504383.tif 000036
2005504383.tif 000037
2005504383.tif 000038
2005504383.tif 000039
2005504383.tif 000040
2005504383.tif 000041
2005504383.tif 000042
2005504383.tif 000043
2005504383.tif 000044
2005504383.tif 000045
2005504383.tif 000046
2005504383.tif 000047
2005504383.tif 000048
2005504383.tif 000049
2005504383.tif 000050
2005504383.tif 000051
2005504383.tif 000052
2005504383.tif 000053
2005504383.tif 000054
2005504383.tif 000055
2005504383.tif 000056
2005504383.tif 000057
2005504383.tif 000058
2005504383.tif 000059
2005504383.tif 000060
2005504383.tif 000061
2005504383.tif 000062
2005504383.tif 000063
2005504383.tif 000064
2005504383.tif 000065
2005504383.tif 000066
2005504383.tif 000067
2005504383.tif 000068
2005504383.tif 000069
2005504383.tif 000070
2005504383.tif 000071
2005504383.tif 000072
2005504383.tif 000073
2005504383.tif 000074
2005504383.tif 000075
2005504383.tif 000076
2005504383.tif 000077
2005504383.tif 000078
2005504383.tif 000079
2005504383.tif 000080
2005504383.tif 000081
2005504383.tif 000082
2005504383.tif 000083
2005504383.tif 000084
2005504383.tif 000085
2005504383.tif 000086
2005504383.tif 000087
2005504383.tif 000088
2005504383.tif 000089
2005504383.tif 000090
2005504383.tif 000091
2005504383.tif 000092
2005504383.tif 000093
2005504383.tif 000094
2005504383.tif 000095
2005504383.tif 000096
2005504383.tif 000097
2005504383.tif 000098
2005504383.tif 000099
2005504383.tif 000100
2005504383.tif 000101
2005504383.tif 000102
2005504383.tif 000103
2005504383.tif 000104
2005504383.tif 000105
2005504383.tif 000106
2005504383.tif 000107
2005504383.tif 000108
【国際調査報告】
2005504383.tif 000109